(57)【要約】【課題】包装用の箱や容器の封止に使用される粘着テープは貼り方が悪いと輸送途中に包装の封止が解けてしまって、内用物が破損するという事故があった。しかし、それを防止する貼り方を馴れない作業員に徹底することは容易ではなかった。【解決手段】粘着テープ１の表面に、使用する時の折り曲げ６や切断位置７あるいは粘着テープで封止する箱の種類４、使用個所を示す印５を印刷しておくか、粘着テープを繰り出すときに、その表面に上記印を印刷するか、画面に表示する装置を用いることによって初心者でも確実な作業が出来る。【選択図】      図２
2005171084.tif 000002
【特許請求の範囲】
【請求項１】
包装用の箱や容器の封止に使用される粘着テープにおいて、使用する時の折り曲げや切断位置を示す印を有することを特徴とする粘着テープ。
【請求項２】
折り曲げや切断位置の外に箱や容器の種類及び粘着テープの使用位置を示す印を有することを特徴とする請求項１記載の粘着テープ。
【請求項３】
包装用の箱や容器の封止に使用される粘着テープを繰り出す時に、その粘着テープの表面に粘着テープの折り曲げや切断位置と箱や容器の種類及び粘着テープの使用位置等を示す印を付けるか、表示画面での表示によりそれらの印を示すことができることを特徴とする粘着テープの供給切断装置。
【発明の詳細な説明】
【技術分野】
【０００１】
この発明は包装に使用される箱や容器等の開口部の封止に使用される目印付きの粘着テープ及び目印の無い粘着テープを使用するときに、そのテープの使用目的に合った目印を付けることができる粘着テープの供給切断装置に関する。
【背景技術】
【０００２】
従来、包装に使用される箱や容器等の開口部の封止に使用される粘着テープは、それを使用する作業員に、貼り始めの長さ、折り曲げの位置及び貼りおわりの位置等が任されていたので包装後の荷姿が揃わなかった。
【発明の開示】
【発明が解決しようとする課題】
【０００３】
上記、従来の技術では粘着テープの貼り方が悪いと輸送途中に包装の封止が解けてしまって、内容物が破損するという事故があった。しかし、それを防止するように正確な貼り方を馴れない作業員に徹底することは容易ではなかった。
【０００４】
この発明は、粘着テープに長さや貼り方の目印を付けて標準的な作業をし易くして、従来技術の欠点を改善しようとするものである。
【課題を解決するための手段】
【０００５】
上記目的を達成するためのこの発明の構成は、特許請求の範囲に記載の通りの粘着テープ及び粘着テープ供給切断装置である。
すなわち、
（１）包装用の箱や容器の封止に使用される粘着テープにおいて、使用する時の折り曲げや切断位置を示す印を有することを特徴とする粘着テープ。
（２）折り曲げや切断位置の外に箱や容器の種類及び粘着テープの使用位置を示す印を有することを特徴とする上記（１）記載の粘着テープ。
（３）包装用の箱や容器の封止に使用される粘着テープを繰り出す時に、その粘着テープの表面に粘着テープの折り曲げや切断位置と箱や容器の種類及び粘着テープの使用位置等を示す印を付けるか、表示画面での表示によりそれらの印を示すことができることを特徴とする粘着テープの供給切断装置。
【０００６】
荷造り作業において、例えば、包装用のダンボール箱を組み立てるときや、その蓋を封止するために粘着テープを用いるとき、普通は角の位置を目安にして貼り始めのテープ位置を決め、貼り終わりも角の位置を目安にして、決めている。上記（１）の「折り曲げ」位置はこの角の位置のことであり、「切断位置」は貼り始めと貼り終わりの位置に相当する。
【０００７】
「使用位置を示す」というのは、ダンボール箱が直方体であったとき、その長辺に沿って使用するとき、短辺に沿って使用するとき、あるいは高さに沿って使用するときでは折り曲げ位置を示す印の間隔は変えなければならないので、その位置を示す印を示しておくことである。
【０００８】
「粘着テープの供給切断装置」は、例えば、事務用品であるセロファンテープを使用するときのように、長い粘着テープのロールを内蔵し、そこから必要に応じて粘着テープを引き出して使用するときに、前もって入力してある指示にしたがった印を粘着テープの表面に印刷表示するか、あるいはそれ等の印を画面に表示する装置である。
【発明の効果】
【０００９】
この発明の粘着テープまたは粘着テープの供給切断装置を使用することによって、初心者でも熟練者と同様に箱や容器の封止作業を確実に遂行することができる。
【発明を実施するための最良の形態】
【００１０】
以下、実施例によって、この発明を具体的に説明する。
【実施例１】
【００１１】
図1に示した例は、粘着テープ1の表面に等間隔の折り曲げ位置の印２と詳細目盛３とを付けた粘着テープである。この例は長さの決まった一定の作業をするときに使用するのに適している。
【実施例２】
【００１２】
図２に示した例は、粘着テープ１の表面に折り曲げ位置の印６、切断位置の印７が付いており、切断位置の印７相互の間にある折り曲げ位置の印６の数が使用位置に応じて異なっている。このテ−プは一本のテープを異なった長さ、異なった折り曲げ位置の所に使用するが、その使用場所を示すために、切断位置を示す印の間に容器の種類を示す印４とその使用位置を示す印５が付いている。
【００１３】
このテープの印の種類と数と間隔を、容器の種類及びその封止作業の手順に合わせておけば、非熟練作業員でも粘着テープ１の印にしたがって作業をすれば能率良く確実な作業ができる。
【実施例３】
【００１４】
図３に示した例は、粘着テープの供給切断装置１１を示す。この粘着テープの供給切断装置は、包装箱、容器の種類と粘着テープ使用位置等設定ユニット８、折り曲げ、切断の位置、使用位置等制御ユニット９、印の明示、切断、表示処理ユニット１０、粘着テープ処理表示画面１６を備えていて、単に粘着テープ１の供給、切断をするだけではなく、粘着テープ１を繰り出す時にその表面の所定の位置に、箱や容器等の印４、粘着テープの使用位置の印５、その折り曲げ位置の印６、その切断位置の印７を付けるようになっている。
【００１５】
この装置を使用すれば、封止しようとする箱や容器に合わせて、前もって印を印刷した多種類の粘着テープを用意する必要がなく、無印の粘着テープを使用するときにその使用条件を粘着テープの供給切断装置１１に設定しておけばよい。
【実施例４】
【００１６】
図４及び図５に示した例は、粘着テープを切断位置の印７で切断して使用するときの状態を示している。図4は粘着テープ１を二箇所の折り曲げ位置６で折り曲げる例であり、図5は折り曲げ位置６は一箇所の例である。
【実施例５】
【００１７】
図6は粘着テープの処理表示画面の例である。粘着テープ処理表示画面１６には、箱や容器の種類等表示スペース１２、粘着テープの使用位置１３、使用方法等表示スペース１４、粘着テープ使用方法等表示スペースがあるので、作業者はこの粘着テープ処理表示画面１６の表示にしたがって作業をすれば完全な作業をすることができる。
【産業上の利用可能性】
【００１８】
この発明を利用することによって、包装作業員の熟練の程度に関係なく確実な包装作業を遂行することができるので、従来度々起きていた、荷造り不良による輸送品の損壊事故を減少させることができる。
【図面の簡単な説明】
【００１９】
【図１】等間隔の印を付した粘着テープの平面図
【図２】折り曲げ、切断位置、使用条件、使用位置等を付した粘着テープの平面図
【図３】粘着テープ供給切断装置の動作を示す概念図
【図４】粘着テープを切断してから使用するときの平面図
【図５】粘着テープを切断してから使用するときの他の例の平面図
【図６】粘着テープ供給切断装置の表示画面の一例を示す説明図
【符号の説明】
【００２０】
１、粘着テープ
２、折り曲げ又は切断位置の印
３、折り曲げ又は切断位置の詳細な印
４、封止しようとする箱や容器等を示す記号
５、箱や容器について粘着テープを使用する場所を示す記号
６、粘着テープの折り曲げ位置を示す記号
７、粘着テープの切断位置を示す記号
８、箱や容器の種類と粘着テープの使用位置等の設定ユニット
９、粘着テープの折り曲げ、切断の位置、使用位置等の制御ユニット
１０、粘着テープに印の明示、切断、表示処理ユニット
１１、粘着テープ供給切断装置
１２、封止しようとする箱や容器等の種類を示す記号の表示スペース
１３、粘着テープの使用位置、使用方法等の表示スペース
１４、封止しようとする箱や容器等の略図の表示スペース
１５、粘着テープ使用方法等の表示スペース
１６、粘着テープ処理表示画面
【図１】
2005171084.tif 000003
【図２】
2005171084.tif 000004
【図３】
2005171084.tif 000005
【図４】
2005171084.tif 000006
【図５】
2005171084.tif 000007
【図６】
2005171084.tif 000008